(57)【要約】      （修正有）【課題】携帯電話を支持している場合に角度が変化して支持効果が低くなるという課題を解決することができる携帯電話用の超薄型リングホルダーを提供する。【解決手段】第１の回動部１及び第２の回動部２を備え、第１の回動部１及び第２の回動部２は回転軸回りに回動可能に接続され、第１の回動部１は、回転軸の軸方向に直交する方向の一側に位置する基部を備え、第１の回動部１に、第２の回動部２が第１の回動部１に対して所定の角度まで回動した後にさらに回動することを制限するための制限部３が、回転軸の軸方向に直交する方向の他側に設けられている。【選択図】図１
0003220183.tif 000002
【実用新案登録請求の範囲】
【請求項１】
第１の回動部及び第２の回動部を備え、
前記第１の回動部及び第２の回動部は回動可能に接続され、
前記第１の回動部に、前記第２の回動部が前記第１の回動部に対して所定の角度まで回動した後にさらに回動することを制限するための制限部が設けられている
ことを特徴とする携帯電話用の超薄型リングホルダー。
【請求項２】
前記第１の回動部は、基部と、該基部に接続する接続部とを備え、
前記第２の回動部はリング部及び回転軸を備え、
前記回転軸は前記接続部内に設けられており、
前記接続部の的側辺は前記回転軸の軸方向に延びて前記制限部を形成するようにしてある
ことを特徴とする請求項１に記載の携帯電話用の超薄型リングホルダー。
【請求項３】
前記第１の回動部が第２の回動部に対して回動する場合に、前記基部が前記リング部の中央の空隙に位置し、
前記接続部及び前記リング部は完全な円盤状構造を形成するようにしてある
ことを特徴とする請求項２に記載の携帯電話用の超薄型リングホルダー。
【請求項４】
前記回転軸は、該回転軸及び前記接続部の間の回転摩擦力を高めるように、ダンピング接着剤によって囲まれている
ことを特徴とする請求項２に記載の携帯電話用の超薄型リングホルダー。
【請求項５】
前記基部の第１面に、回転スペーサーがねじによって回転可能に固定されている
ことを特徴とする請求項２に記載の携帯電話用の超薄型リングホルダー。
【請求項６】
前記基部内に滑り止めシートが設けられており、
前記回転スペーサー及び前記基部の回転摩擦力を高めるように、ねじによって前記回転スペーサー及び前記滑り止めシートが固定されている
ことを特徴とする請求項５に記載の携帯電話用の超薄型リングホルダー。
【請求項７】
前記回転スペーサーの外端面に、取り外し可能な接着剤がさらに設けられており、
前記基部の前記第１面と反対側の第２面に、マグネット鉄片が設けられている
ことを特徴とする請求項５に記載の携帯電話用の超薄型リングホルダー。
【考案の詳細な説明】
【技術分野】
【０００１】
本考案は、電子機器の技術分野に属し、特に携帯電話用の超薄型リングホルダーに関する。
【背景技術】
【０００２】
人々の生活水準の向上に伴って、日常の連絡手段として携帯電話又はタブレットを使用する方がますます増えている。ところが、現在の携帯電話又はタブレットは一般的にタッチ式のモバイル電子機器であり、このような機器が落下すると破損する虞がある。また、使用者が長時間にわたって携帯電話を持つと、手首が凝る虞がある。このため、携帯電話用のホルダーで支持する必要がある。そこで、このような課題を解決するために、リングホルダーが開発された。しかし、従来のリングホルダーでは、携帯電話を支持している場合に支持角度が変化しやすいため、エクスペリエンスが悪い。
【考案の概要】
【考案が解決しようとする課題】
【０００３】
本考案は、上記の技術課題に対して、携帯電話用の超薄型リングホルダーを提供し、従来のリングホルダーが携帯電話を支持している場合に角度が変化して支持効果が低くなるという課題を解決することができる。
【課題を解決するための手段】
【０００４】
本考案は、以下の技術手段を採用する。携帯電話用の超薄型リングホルダーは、第１の回動部及び第２の回動部を備え、前記第１の回動部及び第２の回動部は回動可能に接続され、前記第１の回動部に、前記第２の回動部が前記第１の回動部に対して所定の角度まで回動した後にさらに回動することを制限するための制限部が設けられている。
【０００５】
好ましくは、前記第１の回動部は、基部と、該基部に接続する接続部とを備え、前記第２の回動部はリング部及び回転軸を備え、前記回転軸は前記接続部内に設けられており、前記接続部の的側辺は前記回転軸の軸方向に延びて前記制限部を形成するようにしてある。
【０００６】
好ましくは、前記第１の回動部が第２の回動部に対して回動する場合に、前記基部が前記リング部の中央の空隙に位置し、前記接続部及び前記リング部は完全な円盤状構造を形成するようにしてある。
【０００７】
好ましくは、前記回転軸は、該回転軸及び前記接続部の間の回転摩擦力を高めるように、ダンピング接着剤によって囲まれている。
【０００８】
好ましくは、前記基部の第１面に、回転スペーサーがねじによって回転可能に固定されている。
【０００９】
好ましくは、前記基部内に滑り止めシートが設けられており、前記回転スペーサー及び前記基部の回転摩擦力を高めるように、ねじによって前記回転スペーサー及び前記滑り止めシートが固定されている。
【００１０】
好ましくは、前記回転スペーサーの外端面に、取り外し可能な接着剤がさらに設けられており、前記基部の前記第１面と反対側の第２面に、マグネット鉄片が設けられている。
【考案の効果】
【００１１】
本考案に係る携帯電話用の超薄型リングホルダーは、第１の回動部及び第２の回動部を備え、前記第１の回動部及び第２の回動部は回動可能に接続され、前記第１の回動部に、前記第２の回動部が前記第１の回動部に対して所定の角度まで回動した後にさらに回動することを制限するための制限部が設けられている。本考案によれば、使用時、第１の回動部を携帯電話に設け、携帯電話を支持しようとする場合に、第１の回動部に対して所定の角度をなすように第２の回動部を回動させればよい。所定の角度まで回動させた場合、制限部が第２の回動部に当接したため、第２の回動部が第１の回動部に対して回動できなくなる。よって、支持角度が変化せず、これにより、ユーザエクスペリエンスが向上する。
【図面の簡単な説明】
【００１２】
【図１】本考案の立体構造模式図である。
【図２】本考案の分解模式図である。
【図３】本考案の閉合後の平面図である。
【考案を実施するための形態】
【００１３】
以下、図面に基づいて本考案を詳しく説明する。下記内容が本考案の具体的な実施の形態についての説明にすぎず、本考案の技術的範囲を限定するものではないと理解されるべきである。
【００１４】
図１に示すように、携帯電話用の超薄型リングホルダーは、第１の回動部１及び第２の回動部２を備え、前記第１の回動部１及び第２の回動部２は回動可能に接続され、前記第１の回動部１に、前記第２の回動部２が前記第１の回動部１に対して所定の角度まで回動した後にさらに回動することを制限するための制限部３が設けられている。使用時、第１の回動部１を携帯電話に設け、携帯電話を支持しようとする場合に、第１の回動部１に対して所定の角度をなすように第２の回動部２を回動させればよい。所定の角度まで回動させた場合、制限部３が第２の回動部２に当接したため、第２の回動部２が第１の回動部１に対して回動できなくなる。よって、支持角度が変化せず、これにより、ユーザエクスペリエンスが向上する。携帯電話を支持しない場合には、第２の回動部２を回動させて第１の回動部１とともに超薄のシート状体を形成する。
【００１５】
図２に示すように、具体的に、前記第１の回動部１は、基部１１と、前記基部１１に接続する接続部１２とを備え、前記基部１１及び前記接続部１２は一体成型であってもよい。具体的に、接続部１２は上蓋１２１及び下蓋１２２を備えてもよい。取り付けの便宜上、上蓋１２１は基部１１と一体成型であってもよく、下蓋１２２はねじによって上蓋１２１に固定されてもよい。上蓋１２１及び下蓋１２２が一体に固定された場合に、形成された接続部１２は、１つの収容空間を有する。前記第２の回動部２は、リング部２１及び回転軸２２を備え、回転軸２２はリング部２１の両端に接続し、リング部２１とともに１つの環を形成するようにしてある。前記回転軸２２は、前記接続部１２内に設けられており、具体的に収容空間に設けられている。前記接続部１２の側辺は前記回転軸２２の軸方向に延びて前記制限部３を形成する。制限部３は、２つの角のように、第２の回動部２の回動際に、該角が前記リング部２１に当接する。
【００１６】
さらに、図３に示すように、前記第１の回動部１が第２の回動部２に対して回動する場合に、前記基部１１は前記リング部２１の中央の空隙に位置し、前記接続部１２は前記リング部２１とともに完全な円盤状構造を形成する。
【００１７】
図２に示すように、前記回転軸２２はダンピング接着剤１４によって囲まれている。これにより、前記回転軸２２及び前記接続部１２の間の回転摩擦力が高まる。  ダンピング接着剤１４によって囲まれた回転軸は接続部１２内に位置し、第１の回動部１が回動している場合に、エクスペリエンスが非常にいい。
【００１８】
図２に示すように、前記基部１１の第１面に、１つのねじによって回転スペーサー４が回転可能に固定されている。回転スペーサー４の外端面に、取り外し可能な接着剤５を設けてもよい。取り外し可能な接着剤５よって、リングホルダーを携帯電話に固定することができる。これにより、リングホルダーが固定された後に、基部１１が携帯電話に対して回転することができるため、第２の回動部２を携帯電話に対して水平回動させることができ、携帯電話を支持する斜向角度を変更させることができる。前記基部１１の前記第１面と反対側の第２面に、マグネット鉄片７を設けてもよい。マグネット鉄片７によって、リングホルダーを例えば車載マグネット携帯電話ホルダーのようなマグネット支持装置に固定することができる。
【００１９】
図２に示すように、前記基部１１内に滑り止めシート６が設けられている。ねじによって前記回転スペーサー４及び前記滑り止めシート６を固定することで、前記回転スペーサー４及び前記基部１１の回転摩擦力を高めることができる。ねじを調節することで、前記回転スペーサー４及び前記滑り止めシート６の間の距離を変更させることができる。これにより、回転スペーサー４及び基部１１の間の摩擦力を調節することができ、前記回転スペーサー４の回転に必要な力を便利に調節することができる。
【００２０】
本考案の実施例は、その具体的な実施の形態についての説明に過ぎず、その技術的範囲を制限するものではない。当業者は本実施例の啓発に基づいて変更を行うことができる。従って、本考案の請求範囲に従って行った等価な変更又は修飾は、すべて本考案の技術的範囲に属する。
【図１】
0003220183.tif 000003
【図２】
0003220183.tif 000004
【図３】
0003220183.tif 000005
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
第１の回動部及び第２の回動部を備え、
前記第１の回動部及び第２の回動部は回転軸回りに回動可能に接続され、
前記第１の回動部は、前記回転軸の軸方向に直交する方向の一側に位置する基部を備え、
前記第１の回動部に、前記第２の回動部が前記第１の回動部に対して所定の角度まで回動した後にさらに回動することを制限するための制限部が、前記回転軸の軸方向に直交する方向の他側に設けられている
ことを特徴とする携帯電話用の超薄型リングホルダー。
【請求項２】
前記第１の回動部は、一側が前記基部に接続する接続部をさらに備え、
前記第２の回動部はリング部及び前記回転軸を備え、
前記回転軸は前記接続部内に設けられており、
前記制限部は前記接続部の他側に結合されている
ことを特徴とする請求項１に記載の携帯電話用の超薄型リングホルダー。
【請求項３】
前記第１の回動部が第２の回動部に対して回動する場合に、前記基部が前記リング部の中央の空隙に位置し、
前記接続部及び前記リング部は完全な円盤状構造を形成するようにしてある
ことを特徴とする請求項２に記載の携帯電話用の超薄型リングホルダー。
【請求項４】
前記回転軸は、該回転軸及び前記接続部の間の回転摩擦力を高めるように、ダンピング接着剤によって囲まれている
ことを特徴とする請求項２に記載の携帯電話用の超薄型リングホルダー。
【請求項５】
前記基部の第１面に、回転スペーサーがねじによって回転可能に固定されている
ことを特徴とする請求項２に記載の携帯電話用の超薄型リングホルダー。
【請求項６】
前記基部内に滑り止めシートが設けられており、
前記回転スペーサー及び前記基部の回転摩擦力を高めるように、ねじによって前記回転スペーサー及び前記滑り止めシートが固定されている
ことを特徴とする請求項５に記載の携帯電話用の超薄型リングホルダー。
【請求項７】
前記回転スペーサーの外端面に、取り外し可能な接着剤がさらに設けられており、
前記基部の前記第１面と反対側の第２面に、マグネット鉄片が設けられている
ことを特徴とする請求項５に記載の携帯電話用の超薄型リングホルダー。